(57)【要約】【課題】電気的負荷機器との電気的接続作業を容易に行なうことができる熱動形過負荷継電器を提供することを目的としている。【解決手段】ケーシング９の一側に、電気的負荷機器に電気的に接続する主回路端子４（４Ｒ，４Ｓ，４Ｔ）と、他の電気機器に接続する補助回路端子（５ｂ１，５ｂ２，５ａ１、５ａ２）とが配置されている。ケーシングを上面７ｃ側から見て、主回路端子は一列に配置されている。また、補助回路端子は、主回路端子が配置されている列と異なる位置に配置されている。【選択図】図３
2010232058.tif 000002
【特許請求の範囲】
【請求項１】
加熱導線を巻き付けた主バイメタルの温度上昇に伴う撓み変形で作動力を発生するアクチュエータ機構と、このアクチュエータ機構から作動力を受けて従動する開閉機構と、この開閉機構の動作により接点が切り替わる接点反転機構と、これらアクチュエータ機構、開閉機構及び接点反転機構を収納するケーシングとを備え、当該ケーシングの一側に、電気的負荷機器に電気的に接続する主回路端子と、他の電気機器に接続する補助回路端子とが配置されている熱動形過負荷継電器において、
前記ケーシングを上面側から見て、前記主回路端子が一列に配置されているとともに、前記補助回路端子は、前記主回路端子が配置されている列と異なる位置に配置されていることを特徴とする熱動形過負荷継電器。
【請求項２】
前記補助回路端子は、常閉接点の第１補助回路端子と、常開接点の第２補助回路端子とで構成され、前記ケーシングを側面から見て、前記常閉接点の第１補助回路端子が、前記常開接点の第２補助回路より上方位置に配置されていることを特徴とする請求項１記載の熱動形過負荷継電器。
【請求項３】
前記補助回路端子の近傍の前記ケーシングの上面に、前記補助回路端子の端子種類と位置を示す補助回路端子表示部を形成したことを特徴とする請求項１又は２記載の熱動形過負荷継電器。
【請求項４】
前記ケーシング内部に、前記加熱導線を巻き付けた前記主バイメタルを有する前記アクチュエータ機構を収納するヒートエレメント収納空間と、前記開閉機構及び前記接点反転機構を収納する接点切替え収納空間とを設け、
前記ケーシングの側面に、前記ヒートエレメント収納空間とケーシング外部との空気の入れ替えが可能な通気口を設けたことを特徴とする請求項１乃至３の何れか１項に記載の熱動形過負荷継電器。
【請求項５】
前記ケーシングの側面に、前記接点切替え収納空間とケーシング外部との空気の入れ替えが可能な通気口を設けたことを特徴とする請求項１乃至４の何れか１項に記載の熱動形過負荷継電器。
【請求項６】
前記通気口は、前記ケーシングに形成した開口部を遮るように、複数の第１格子が互いに所定の間隔をあけて平行に延在し、これら複数の第１格子に対して所定の隙間を設けた内側の位置に、前記複数の第１格子の間の空間を遮るように互いに所定の間隔をあけて複数の第２格子が平行に延在する通気構造としていることを特徴とする請求項４又は５記載の熱動形過負荷継電器。
【請求項７】
前記ケーシングの上面に、前記接点反転機構を手動で反転させ、且つ当該接点反転機構の動作を確認できる動作表示・手動トリップ操作窓が形成されており、
当該動作表示・手動トリップ操作窓の開口部の周縁壁部は、当該周縁壁部の下部から上部に向かうに従い前記開口部から離間する方向に上り傾斜を付けた傾斜面形状として形成されていることを特徴とする請求項１乃至６の何れか１項に記載の熱動形過負荷継電器。
【発明の詳細な説明】
【技術分野】
【０００１】
本発明は、過電流を検知したときに接点の切り替えを行なう熱動形過負荷継電器に係わり、特に、アクチュエータ機構、開閉機構及び接点反転機構を収納するケーシングの改良に関する。
【背景技術】
【０００２】
熱動形過負荷継電器は、ケーシング内に、加熱導線（ヒータ）を巻き付けたバイメタルを備えたアクチュエータ機構と、バイメタルの開放端に係合し、ケーシング内に水平方向に移動自在に支承されたシフタと、シフタの移動により連動する開閉機構と、開閉機構の動作により接点の切り替えを行なう接点反転機構とが収納されている（例えば、特許文献１参照）。
【０００３】
熱動形過負荷継電器は、電磁接触器と接続することで電磁開閉器を構成し、この電磁開閉器を電動モータ等の電気的負荷機器と電源との間に接続し、電動モータに通電される電流が予め設定した電流値以上になる過電流の発生時に電源と電動モータの間の電気的回路を遮断し、電動モータが損傷することを防止する電気機器である。
図９は、一般的な熱動形過負荷継電器の外嵌を平面視で示したものであり、方形のケーシング５０の上面には、整定電流の調整を行なう調整ダイヤル５１と、接点機構をリセットするリセット棒５２が配置されている。また、ケーシング５０の一方の側部には、電気的負荷機器に接続する負荷側主回路端子５３が設けられているとともに、ケーシング５０の他方の側部から、電磁接触器に接続する３本のＲ相電源側端子５４Ｒ，Ｓ相電源側端子５４Ｓ，Ｔ相電源側端子５４Ｔが突出している。ここで、負荷側主回路端子５３を構成するＲ相端子５３Ｒ、Ｓ相端子５３Ｓ及びＴ相端子５３Ｔは、同一高さで一列に配置されている。
【０００４】
また、負荷側主回路端子５３を設けているケーシング５０の一方の側部には、負荷側主回路端子５３の端子ネジサイズと同一である、常閉接点の第１補助回路端子ｂ１，ｂ２と、常開接点の第２補助回路端子ａ１，ａ２とが設けられており、第１補助回路端子ｂ１及び第２補助回路端子ａ１は、負荷側主回路端子５３（Ｒ相端子５３Ｒ、Ｓ相端子５３Ｓ及びＴ相端子５３Ｔ）と同一列に位置し、他の第１補助回路端子ｂ２及び第２補助回路端子ａ２は、負荷側主回路端子５３より前方であって、高さが低い位置に設けられている。
【０００５】
通常、常閉接点の第１補助回路端子ｂ１，ｂ２は、この熱動形過負荷継電器に接続する電磁接触器の電磁コイル側端子に電気的に接続され、常開接点の第２補助回路端子ａ１，ａ２は、ランプを点灯して異常を知らせる警報手段等に電気的に接続されるようになっている。
【先行技術文献】
【特許文献】
【０００６】
【特許文献１】特開２００４−１７２１２２号公報
【発明の概要】
【発明が解決しようとする課題】
【０００７】
しかし、図９に示すように，壁に取付けた熱動形過負荷継電器は、ケーシング５０の上面側から見ると、負荷側主回路端子５３を構成するＲ相端子５３Ｒ、Ｓ相端子５３Ｓ、Ｔ相端子５３Ｔと、第１補助回路端子ｂ１及び第２補助回路端子ａ１とが同一列に位置しているので、三相電動モータを接続する際に誤配線を引き起こすおそれがある。
また、電磁接触器に電気的に接続する第１補助回路端子ｂ１，ｂ２の使用頻度は、警報手段等に電気的に接続する第２補助回路ａ１，ａ２より多いが、第１補助回路端子ｂ１，ｂ２の一方の端子ｂ２は壁側に位置しているので、電磁接触器との電気的接続作業に手間を要するという問題がある。
【０００８】
また、ケーシング５０の内部には、アクチュエータ機構の３相（Ｒ相、Ｓ相及びＴ相）のバイメタルをそれぞれ隔離して収納する３つのヒートエレメント収納空間と、開閉機構及び接点反転機構を収納する接点切替え収納空間とが設けられているが、熱動形過負荷継電器の小型化を図ると、Ｒ相及びＴ相のヒートエレメント収納空間の間に位置するＳ相のヒートエレメント収納空間の加熱導線が、他の相のヒートエレメント収納空間の加熱導線による熱的干渉により加熱量が増大してしまう。そこで、Ｓ相のヒートエレメント収納空間の加熱導線の加熱容量を小さく設定することが考えられるが、特殊な工程管理が増えてしまうので、組付け作業、製造コストの面で問題がある。
【０００９】
そこで、本発明は、上記従来例の未解決の課題に着目してなされたものであり、電気的負荷機器や電磁接触器との電気的接続作業を容易に行なうことができるとともに、小型化を図っても加熱導線による熱的影響を受けず、組付け作業、製造コストの低減化を図ることができる熱動形過負荷継電器を提供することを目的としている。
【課題を解決するための手段】
【００１０】
上記目的を達成するために、本発明に係る熱動形過負荷継電器は、加熱導線を巻き付けた主バイメタルの温度上昇に伴う撓み変形で作動力を発生するアクチュエータ機構と、このアクチュエータ機構から作動力を受けて従動する開閉機構と、この開閉機構の動作により接点が切り替わる接点反転機構と、これらアクチュエータ機構、開閉機構及び接点反転機構を収納するケーシングとを備え、当該ケーシングの一側に、電気的負荷機器に電気的に接続する主回路端子と、他の電気機器に接続する補助回路端子とが配置されている熱動形過負荷継電器において、前記ケーシングを上面側から見て、前記主回路端子が一列に配置されているとともに、前記補助回路端子は、前記主回路端子が配置されている列と異なる位置に配置されている。
【００１１】
この発明によると、壁に取付けられた熱動形過負荷継電器の上面が、配線作業を行なう作業者に面した状態となり、電気的負荷機器との配線作業を行なうが、主回路端子の一列の配列に対して、補助回路端子が異なる位置に配置されているので、主回路端子と補助回路端子との回路分割が視角的に明確にされる。
また、本発明に係る熱動形過負荷継電器は、前記補助回路端子が、常閉接点の第１補助回路端子と、常開接点の第２補助回路端子とで構成され、前記ケーシングを側面から見て、前記常閉接点の第１補助回路端子が、前記常開接点の第２補助回路より上方位置に配置されている。
【００１２】
この発明によると、電磁接触器との接続など使用頻度の高い第１補助回路端子が、第２補助回路端子に対して作業者側（前面側）に位置しているので、従来の熱動形過負荷継電器と比較して第１補助回路端子の接続作業が容易となる。
また、本発明に係る熱動形過負荷継電器は、前記補助回路端子の近傍の前記ケーシングの上面に、前記補助回路端子の端子種類と位置を示す補助回路端子表示部を形成している。
【００１３】
この発明によると、作業者は上面の補助回路端子表示部を見ながら特定の配線と端子の接続作業を的確に行なうことができる。
また、本発明に係る熱動形過負荷継電器は、前記ケーシング内部に、前記加熱導線を巻き付けた前記主バイメタルを有する前記アクチュエータ機構を収納するヒートエレメント収納空間と、前記開閉機構及び前記接点反転機構を収納する接点切替え収納空間とを設け、前記ケーシングの側面に、前記ヒートエレメント収納空間とケーシング外部との空気の入れ替えが可能な通気口を設けている。
【００１４】
この発明によると、主バイメタルの動作に影響を与えないように、ヒートエレメント収納空間の温度上昇を抑制することができる。
また、本発明に係る熱動形過負荷継電器は、前記ケーシングの側面に、前記接点切替え収納空間とケーシング外部との空気の入れ替えが可能な通気口を設けている。
この発明によると、開閉機構及び前記接点反転機構の動作に影響を与えないように、接点切替え収納空間の温度上昇を抑制することができる。
【００１５】
また、本発明に係る熱動形過負荷継電器は、前記通気口は、前記ケーシングに形成した開口部を遮るように、複数の第１格子が互いに所定の間隔をあけて平行に延在し、これら複数の第１格子に対して所定の隙間を設けた内側の位置に、前記複数の第１格子の間の空間を遮るように互いに所定の間隔をあけて複数の第２格子が平行に延在する通気構造としている。
【００１６】
この発明によると、ケーシング内部との空気の出入りを確保すると同時に、異物の混入を防止することができる。
さらに、本発明に係る熱動形過負荷継電器は、前記ケーシングの上面に、前記接点反転機構を手動で反転させ、且つ当該接点反転機構の動作を確認できる動作表示・手動トリップ操作窓が形成されており、当該動作表示・手動トリップ操作窓の開口部の周縁壁部は、当該周縁壁部の下部から上部に向かうに従い前記開口部から離間する方向に上り傾斜を付けた傾斜面形状として形成されている。
【００１７】
この発明によると、動作表示・手動トリップ操作窓を見る際の作業者の視野が拡がるので、接点反転機構の動作確認を容易に行なうことができる。
【発明の効果】
【００１８】
本発明に係る熱動形過負荷継電器によれば、  この発明によると、壁に取付けられた熱動形過負荷継電器の上面が、配線作業を行なう作業者に面した状態となり、電気的負荷機器との配線作業を行なうが、主回路端子の一列の配列に対して、補助回路端子が異なる位置に配置されているので、主回路端子と補助回路端子との回路分割が視角的に明確にされている。したがって、作業者が電気的負荷機器の配線作業を主回路端子以外の端子にしてしまう等の誤配線を極力避けることができる。
【図面の簡単な説明】
【００１９】
【図１】本発明に係る熱動形過負荷継電器の外観を、負荷側主回路端子及び補助回路端子を設けた側から示した図である。
【図２】本発明に係る熱動形過負荷継電器の外観を、電磁接触器に接続する接続線側から示した図である。
【図３】本発明に係る熱動形過負荷継電器を上面側から示した図である。
【図４】本発明に係る熱動形過負荷継電器の側面カバーを取り外した状態を示す図である。
【図５】本発明に係る熱動形過負荷継電器の接点切替え機構の要部を示した図である。
【図６】図３のＡ−Ａ線矢視図である。
【図７】本発明に係る熱動形過負荷継電器の上面に形成した補助回路端子表示部を拡大して示した図である。
【図８】図３のＣ−Ｃ線矢視図である。
【図９】従来の熱動形過負荷継電器を平面視で示した図である。
【発明を実施するための形態】
【００２０】
以下、本発明を実施するための形態（以下、実施形態という。）を、図面を参照しながら詳細に説明する。
図１から図３に示すように、本実施形態の熱動形過負荷継電器１は、方形の絶縁ケース７ａと、この絶縁ケース７ａの側部に開口した開口部に装着されている側面カバー７ｂと、絶縁ケース７ａの上面７ｃとからなるケーシング９を備えている。
【００２１】
図２及び図３に示すように、上面７ｃには、後述する接点反転機構２１をリセットするためのリセット棒４３が突出して設けられ、開閉機構２０の調整ダイヤル１１が設けられているとともに、動作表示・手動トリップ操作窓４４が設けられている。
図１に示すように、ケーシング９（絶縁ケース７ａ）の一方の側部には、三相電動モータ（不図示：電気的負荷機器）に電気的に接続する負荷側主回路端子４が設けられている。この負荷側主回路端子４は、Ｒ相端子４Ｒ、Ｓ相端子４Ｓ及びＴ相端子４Ｔが同一高さで一列に配置されている。
【００２２】
負荷側主回路端子４に隣接する位置には、常閉接点の第１補助回路端子５ｂ１，５ｂ２と、常開接点の第２補助回路端子５ａ１，５ａ２が設けられている。第１補助回路端子５ｂ１，５ｂ２は、負荷側主回路端子４と略同一高さで一列に配置されている。第２補助回路端子５ａ１，５ａ２は、第１補助回路端子５ｂ１，５ｂ２に対して下方位置の高さに設定されながら、第１補助回路端子５ｂ１，５ｂ２が延在する方向と同一方向に一列に配置されている。一般的に常閉接点の第１補助回路端子５ｂ１，５ｂ２は、この熱動形過負荷継電器１に接続する電磁接触器の電磁石コイル端子に電気的に接続される。
【００２３】
図３に示すように、上面７ｃ側から見ると、負荷側主回路端子４のＲ相端子４Ｒ、Ｓ相端子４Ｓ及びＴ相端子４Ｔの端子配列に対して、第１補助回路端子５ｂ１，５ｂ２が調整ダイヤル１１側に寄った位置として端子配列が異なっており（一列になっておらず）、第２補助回路端子５ａ１，５ａ２も調整ダイヤル１１から離間する位置で端子配列がずれている（一列になっていない）。
【００２４】
また、上面７ｃの第１補助回路端子５ｂ１，５ｂ２近傍には、第１補助回路端子５ｂ１，５ｂ２及び第２補助回路端子５ａ１，５ａ２の配列位置を示す補助回路端子表示部１９が形成されている。すなわち、補助回路端子表示部１９は、第１補助回路端子５ｂ１，５ｂ２が調整ダイヤル１１側に寄った位置であり、第２補助回路端子５ａ１，５ａ２が調整ダイヤル１１側から離間した位置であることを示す「ＮＣ」、「ＮＯ」の表示が形成されているととともに、第１補助回路端子５ｂ１，５ｂ２の端子種類と位置を示す「９５」、「９６」と、第２補助回路端子５ａ１，５ａ２の端子種類と位置を示す「９８」、「９７」の表示が形成されている。
【００２５】
また、図２に示すように、ケーシング９（絶縁ケース７ａ）の他方の側部に装着した側面カバー７ｂから、電磁接触器（不図示）に接続する３本のＲ相電源側端子１２Ｒ，Ｓ相電源側端子１２Ｓ，Ｔ相電源側端子１２Ｔが突出して設けられている。なお、側面カバー７ｂには、熱動形過負荷継電器１と電磁接触器とを組付ける際に電磁接触器に係合する接続脚６が設けられている。
【００２６】
図４に示すように、絶縁ケース７ａ内には、３相分の主バイメタル２の温度上昇に伴う撓み変形を利用したアクチュエータ機構１０と、主バイメタル２に係合したシフタ３の変位に従動する開閉機構２０と、開閉機構２０の動作により接点が切り替わる接点反転機構２１と、接点反転機構２１をリセットするリセット棒４３とを備えている。
なお、図４に示すように、絶縁ケース７ａ内には隔壁７ｄが形成されており、この隔壁７ｄより右側のアクチュエータ機構１０を収納している空間を、ヒートエレメント収納空間とし、隔壁７ｄより左側の開閉機構２０及び接点反転機構２１を収納している空間を、接点切替え収納空間とする。
【００２７】
アクチュエータ機構１０は、３本の主バイメタル２の外周に螺旋状に巻き付けられ導電性線材からなるヒータ２ａと、３本の主バイメタル２の開放端に係合している前述したシフタ３とを備えている。３本の主バイメタル２に巻き付けられている各ヒータ２ａは、Ｒ相端子４Ｒ及びＲ相電源側端子１２Ｒの間の電気的接続部、Ｓ相端子４Ｓ及びＳ相電源側端子１２Ｓの間の電気的接続部、Ｔ相端子４Ｔ及びＴ相電源側端子１２Ｔの間の電気的接続部に接続し、電気的接続部に流れる電流に応じた熱量を発生する。また、３本の主バイメタル２は、図４に示すように、絶縁ケース７ａ内に形成した隔壁７ｅ，７ｆによって個別の空間に収納されている。
【００２８】
開閉機構２０は、図４に示すように、調整リンク２２と、この調整リンク２２に回動自在に支持された釈放レバー２３と、この釈放レバー２３に固定され、シフタ３に係合する温度補償バイメタル２４とを備えている。釈放レバー２３の上部には、上面７ｃに回転自在に配置した調整ダイヤル１１（図２及び図３参照）の偏心カム１１ａの周面に当接している。
【００２９】
接点反転機構２１は、図５に示すように、反転機構支持部３２と、この反転機構支持部３２の近傍に配置され、絶縁ケース７ａの内壁に設けた支軸３３に回動自在に支持された連動板３４と、反転機構支持部３２に当接した下部３５ａを支点として上部３５ｂが揺動自在に配置されている可動板３５と、可動板３５の上部３５ｂ側に設けた係合穴３５ｃ及び下部３５ａの下方位置である反転機構支持部３２のばね支持部３２ａの間に張架された引張りコイルばねからなる反転ばね３６とを備えている。
【００３０】
連動板３４の上端には、トリップ操作杆３４ａが形成されている。このトリップ操作杆３４ａは、連動板３４が初期状態のときには、前述した上面７ｃに形成した動作表示・手動トリップ操作窓４４（図３参照）から臨むことができる。そして、動作表示・手動トリップ操作窓４４から挿入したドライバなどの工具をトリップ操作杆３４ａに係合し、連動板３４を介して可動板３５をトリップ状態となる方向に回動させることができる。
【００３１】
また、詳細には図示していないが、接点反転機構２１には、常開接点（ａ接点）の固定接点及び可動接点、常閉接点（ｂ接点）の固定接点及び可動接点が設けられており、これら常開接点（ａ接点）及び常閉接点（ｂ接点）の電気的情報が、前述した常閉接点の第１補助回路端子５ｂ１，５ｂ２を介して電磁接触器の電磁石コイル端子に伝達され、電磁接触器を開極動作させて主回路の過負荷電流を遮断するようにしている。
【００３２】
一方、図１に示すように、ケーシング９の（絶縁ケース７ａ）の負荷側主回路端子４を設けた位置の下方には、前述したヒートエレメント収納空間に通じる第１ヒートエレメント部通気口１５が形成されており、第２補助回路端子５ａ１，５ａ２を設けた位置の下方には、前述した接点収納空間に通じる第１補助回路部通気口１６が形成されている。
また、図２に示すように、側面カバー７ｂにも、ヒートエレメント収納空間に通じる第２ヒートエレメント部通気口１７が形成されており、接点切替え収納空間に通じる第２補助回路部通気口１８が形成されている。
【００３３】
ここで、第１ヒートエレメント部通気口１５及び第２ヒートエレメント部通気口１７は、詳細には、図４で示した隔壁７ｅ及び隔壁７ｆの間のヒートエレメント収納空間（Ｓ相端子４Ｓ及びＳ相電源側端子１２Ｓの間に接続された主バイメタル２及びヒータ２ａが収納されている空間）に連通している。
第１ヒートエレメント部通気口１５は、図６に示すように、ヒートエレメント収納空間に通じる大きな開口部１５ａを遮るように、複数の第１格子１５ｂが互いに所定の間隔をあけて平行に延在し、複数の第１格子１５ｂに対して所定の隙間を設けた内側の位置に、これら複数の第１格子１５ｂの間の空間を遮るように互いに所定の間隔をあけて複数の第２格子１５ｃが平行に延在する構造となっている。
【００３４】
第２ヒートエレメント部通気口１７も、ヒートエレメント収納空間に通じる大きな開口部１７ａを遮るように、複数の第１格子１７ｂが互いに所定の間隔をあけて平行に延在し、複数の第１格子１７ｂに対して所定の隙間を設けた内側の位置に、これら複数の第１格子１７ｂの間の空間を遮るように所定の間隔をあけて複数の第２格子１７ｃが平行に延在する構造となっている。
【００３５】
また、詳細には図示しないが、第１補助回路部通気口１６及び第２補助回路部通気口１８も、第１ヒートエレメント部通気口１５及び第２ヒートエレメント部通気口１７と同一構造となっている。
さらに、図３で示した上面７ｃに設けた動作表示・手動トリップ操作窓４４は、トリップ操作杆３４ａが容易に見える形状に形成されている。すなわち、図８に示すように、矩形状の開口部４４ａを画成する３辺の開口周縁壁部４４ｂは、この開口周縁壁部４４ｂの下部から上部に向かうに従い、開口部４４ａから離間する方向に上り傾斜を付けた傾斜面形状として形成されている。
【００３６】
次に、本実施形態の熱動形過負荷継電器１の作用効果について説明する。
３本のＲ相電源側端子１２Ｒ，Ｓ相電源側端子１２Ｓ及びＴ相電源側端子１２Ｔを介して電磁接触器と電気的に接続して壁に取付けた本実施形態の熱動形過負荷継電器１は、上面７ｃが、配線作業を行なう作業者に面した状態となり、三相電動モータ（電気的負荷機器）との配線作業を行なう。
【００３７】
本実施形態の熱動形過負荷継電器１は、上面７ｃ側から見ると、負荷側主回路端子４のＲ相端子４Ｒ、Ｓ相端子４Ｓ及びＴ相端子４Ｔの端子配列に対して、第１補助回路端子５ｂ１，５ｂ２及び第２補助回路端子５ａ１，５ａ２の端子配列が上下方向にずれており、負荷側主回路端子４と第１補助回路端子５ｂ１，５ｂ２及び第２補助回路端子５ａ１，５ａ２との回路分割が視角的に明確にされているので、作業者が三相電動モータの配線作業を負荷側主回路端子４以外の端子にしてしまう等の誤配線を極力避けることができる。
【００３８】
また、本実施形態の熱動形過負荷継電器１は、電磁接触器との接続など使用頻度の高い第１補助回路端子５ｂ１，５ｂ２が、第２補助回路端子５ａ１，５ａ２に対して作業者側（前面側）に位置しているので、従来の熱動形過負荷継電器と比較して第１補助回路端子５ｂ１，５ｂ２の接続作業を容易に行なうことができる。
また、上面７ｃの第１補助回路端子５ｂ１，５ｂ２近傍には、第１補助回路端子５ｂ１，５ｂ２及び第２補助回路端子５ａ１，５ａ２の端子種類と位置を示す補助回路端子表示部１９が形成されており、作業者は上面７ｃの補助回路端子表示部１９を見ながら特定の配線と端子の接続作業を的確に行なうことができる。
【００３９】
また、ケーシング９の一方の側部に設けた第１ヒートエレメント部通気口１５と、他方の側部に設けた第２ヒートエレメント部通気口１７とがヒートエレメント収納空間に通じており、３本の主バイメタル２に巻き付けられた各ヒータ２ａが熱量を発生してヒートエレメント収納空間の温度が上昇しようとしても、図６に示すように、例えば第２ヒートエレメント部通気口１７からヒートエレメント収納空間に外気が入り込み、ヒートエレメント収納空間の温度を奪った空気が第１ヒートエレメント部通気口１５から外部に排出するような冷却空気の流れが発生するので、主バイメタル２の動作に影響を与えないように、ヒートエレメント収納空間の温度上昇を抑制することができる。
【００４０】
また、第１ヒートエレメント部通気口１５及び第２ヒートエレメント部通気口１７は、Ｒ相及びＴ相の間に挟まれて熱的干渉が大きいＳ相のヒートエレメント収納空間（隔壁７ｅ及び隔壁７ｆの間の空間）に連通しているので、小型化を図っても、前記ヒートエレメント収納空間の冷却効果を高めて熱的干渉を小さくすることができる
また、本実施形態の熱動形過負荷継電器１は、Ｓ相のヒートエレメント収納空間に収納しているヒータ２ａの加熱容量を小さく設定しなくても済むので、組付け作業が簡単になり、製造コストの低減化を図ることができる。
【００４１】
また、ケーシング９の一方の側部に設けた第１補助回路部通気口１６と、他方の側部に設けた第２補助回路部通気口１８とが接点切替え収納空間に通じており、例えば第２補助回路部通気口１８から接点切替え収納空間に外気が入り込み、接点切替え収納空間の温度を奪った空気が第２補助回路部通気口１８から外部に排出するような冷却空気の流れが発生するので、温度補償バイメタル２４の動作に影響を与えないように、接点切替え収納空間の温度上昇を抑制することができる。
【００４２】
また、第１ヒートエレメント部通気口１５は、外部側に配置した複数の第１格子１５ｂと、これら第１格子１５ｂに対して所定の間隔をあけて内部側に配置した複数の第２格子１５ｃとが、隣接する第１格子１５ｂ同士の間と隣接する第２格子１５ｃ同士の間とを互いに遮るように２層の格子構造として形成されているので、空気の出入りを確保すると同時に、異物の混入を防止することができる。また、第２ヒートエレメント部通気口１６、第１及び第２補助回路部通気口１６，１８も同一構造とされているので、空気の出入りを確保すると同時に、異物の混入を防止することができる。
【００４３】
さらに、上面７ｃに設けた動作表示・手動トリップ操作窓４４は、開口部４４ａを囲む開口周縁壁部４４ｂの３辺が、この開口周縁壁部４４ｂの下部から上部に向かうに従い、開口部４４ａから離間する方向に上り傾斜を付けた傾斜面形状として形成されており、動作表示・手動トリップ操作窓４４を見る際の作業者の視野が拡がるので、連動板３４が初期状態のときのトリップ操作杆３４ａの確認を容易に行なうことができる。
【００４４】
なお、上面７ｃに設けた動作表示・手動トリップ操作窓４４は、矩形状の開口部４４ａを画成する３辺の開口周縁壁部４４ｂを傾斜面形状として形成しているが、４辺ある開口周縁壁部４４ｂの少なくとも１辺を傾斜面形状とすると作業者の視野が拡がり、さらには、開口周縁壁部４４ｂの４辺全てを傾斜面形状とすると作業者の視野を最良に拡げることができる。
【符号の説明】
【００４５】
１…熱動形過負荷継電器、２…主バイメタル、２ａ…ヒータ（加熱導線）、３…シフタ、４…負荷側主回路端子（主回路端子）、４Ｒ…Ｒ相端子、４Ｓ…Ｓ相端子、４Ｔ…Ｔ相端子、５ａ１，５ａ２…第２補助回路端子、５ｂ１，５ｂ２…第１補助回路端子、７ａ…絶縁ケース、７ｂ…側面カバー、７ｃ…上面、７ｄ，７ｅ，７ｆ…隔壁、９…ケーシング、１０…アクチュエータ機構、１１…調整ダイヤル、１１ａ…偏心カム、１２Ｒ…Ｒ相電源側端子、１２Ｓ…Ｓ相電源側端子、１２Ｔ…Ｔ相電源側端子、１５…第１ヒートエレメント部通気口（通気口）、１５ａ，１７ａ…開口部、１５ｂ，１７ｂ…第１格子、１５ｃ，１７ｃ…第２格子、１６…第１補助回路部通気口（通気口）、１７…第２ヒートエレメント部通気口（通気口）、１８…第２補助回路部通気口（通気口）、１９…補助回路端子表示部、２０…開閉機構、２１…接点反転機構、２２…調整リンク、２３…釈放レバー、２４…温度補償バイメタル、３２…反転機構支持部、３２ａ…支持部、３３…支軸、３４…連動板、３４ａ…トリップ操作杆、３５…可動板、３５ａ…可動板の下部、３５ｂ…可動板の上部、３５ｃ…係合穴、４３…リセット棒、４４…動作表示・手動トリップ操作窓、４４ａ…開口部、４４ｂ…開口周縁壁部
【図１】
2010232058.tif 000003
【図２】
2010232058.tif 000004
【図３】
2010232058.tif 000005
【図４】
2010232058.tif 000006
【図５】
2010232058.tif 000007
【図６】
2010232058.tif 000008
【図７】
2010232058.tif 000009
【図８】
2010232058.tif 000010
【図９】
2010232058.tif 000011